(57)【要約】【課題】通信量または通信料金の制限下において、利用者にとって必要な案内情報を提供しながら経路案内を目的地まで継続することができる案内情報提供サーバ、案内情報提供システム、端末装置、案内情報提供方法およびプログラムを提供することを課題とする。【解決手段】案内情報提供サーバは、端末装置から要求された案内情報を作成し、端末装置から送信された現在位置情報、および出発地から目的地までの案内経路に基づいて、現在位置から目的地までの経路案内処理に必要な案内情報の通信に掛かる必要通信数量を予測し、予め設定した上限通信数量および予め取得した利用済通信数量に基づいて利用可能通信数量を算出し、予測した必要通信数量が算出した利用可能通信数量より大きい場合には案内情報を編集してから端末装置に送信する。【選択図】図２
2015042997.tif 000002
【特許請求の範囲】
【請求項１】
少なくとも端末装置を備えた案内情報提供システムであって、目的地までの案内情報を作成する案内情報作成手段と、上記目的地までの案内経路に基づいて、上記目的地までの経路案内処理に必要な上記案内情報の通信に掛かる通信量または通信料金である必要通信数量を予測する必要通信数量予測手段と、上記端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得する利用可能通信数量取得手段と、上記必要通信数量と上記利用可能通信数量の大小関係に基づいて、上記案内情報作成手段で作成した上記案内情報を編集するか否かを制御する案内情報編集手段と、を備え、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われること、を特徴とする案内情報提供システム。
【請求項２】
請求項１に記載の案内情報提供システムにおいて、上記案内情報編集手段は、上記必要通信数量が上記利用可能通信数量以上である又は上記必要通信数量が上記利用可能通信数量より大きい場合、通信量または通信料金に関する予め設定した報知メッセージを上記案内情報作成手段で作成した上記案内情報に付加すること、を特徴とする案内情報提供システム。
【請求項３】
請求項２に記載の案内情報提供システムにおいて、上記報知メッセージは、データ省略の設定を促すメッセージを含むものであり、上記案内情報編集手段は、上記端末装置から送信された上記データ省略に関する設定情報に基づいて、上記案内情報作成手段で作成した上記案内情報を編集すること、を特徴とする案内情報提供システム。
【請求項４】
請求項３に記載の案内情報提供システムにおいて、上記案内情報編集手段は、上記案内情報作成手段で作成した上記案内情報の簡略化可能箇所の入力画面を上記報知メッセージとして当該案内情報に付加し、上記端末装置から送信された上記簡略化可能箇所に基づいて、上記案内情報作成手段で作成した上記案内情報を簡略化すること、を特徴とする案内情報提供システム。
【請求項５】
請求項１に記載の案内情報提供システムにおいて、データ省略に関する設定情報が格納されている記憶部をさらに備え、上記案内情報編集手段は、上記必要通信数量が上記利用可能通信数量以上である又は上記必要通信数量が上記利用可能通信数量より大きい場合、上記記憶部に格納されている上記設定情報に基づいて、上記案内情報作成手段で作成した上記案内情報を編集すること、を特徴とする案内情報提供システム。
【請求項６】
請求項５に記載の案内情報提供システムにおいて、上記記憶部には、移動履歴に関する移動履歴情報がさらに格納されており、上記案内情報編集手段は、上記記憶部に格納されている上記移動履歴情報に基づいて、上記案内情報作成手段で作成した上記案内情報から、通行経験のある経路の案内を簡略化すること、を特徴とする案内情報提供システム。
【請求項７】
請求項１から６のいずれか１つに記載の案内情報提供システムにおいて、上記必要通信数量予測手段は、上記案内経路のうちの現在位置から上記目的地までの経路の距離、および当該経路中の案内地点数の少なくとも１つに基づいて、上記必要通信数量を算出すること、を特徴とする案内情報提供システム。
【請求項８】
請求項１から６のいずれか１つに記載の案内情報提供システムにおいて、上記必要通信数量予測手段は、上記案内経路のうちの上記目的地までの経路を案内するのに作成する上記案内情報についての上記必要通信数量を算出すること、を特徴とする案内情報提供システム。
【請求項９】
案内情報提供システムに少なくとも備えられた、出力部を備えた端末装置であって、上記案内情報提供システムにおいて、目的地までの案内情報を作成し、上記目的地までの案内経路に基づいて、上記目的地までの経路案内処理に必要な上記案内情報の通信に掛かる通信量または通信料金である必要通信数量を予測し、当該端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得し、上記必要通信数量と上記利用可能通信数量との大小関係に基づいて編集するか否かが制御された上記案内情報を上記出力部に出力する出力実行手段を備え、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われること、を特徴とする端末装置。
【請求項１０】
少なくとも端末装置を備えた案内情報提供システムにおいて実行される、目的地までの案内情報を作成する案内情報作成ステップと、上記目的地までの案内経路に基づいて、上記目的地までの経路案内処理に必要な上記案内情報の通信に掛かる通信量または通信料金である必要通信数量を予測する必要通信数量予測ステップと、上記端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得する利用可能通信数量取得ステップと、上記必要通信数量と上記利用可能通信数量の大小関係に基づいて、上記案内情報作成ステップで作成した上記案内情報を編集するか否かを制御する案内情報編集ステップと、を含み、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われること、を特徴とする案内情報提供方法。
【請求項１１】
少なくとも端末装置を含む通信可能に接続された複数のコンピュータのうちの１つを、目的地までの案内情報を作成する案内情報作成手段、上記目的地までの案内経路に基づいて、上記目的地までの経路案内処理に必要な上記案内情報の通信に掛かる通信量または通信料金である必要通信数量を予測する必要通信数量予測手段、上記端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得する利用可能通信数量取得手段、上記必要通信数量と上記利用可能通信数量の大小関係に基づいて、上記案内情報作成手段で作成した上記案内情報を編集するか否かを制御する案内情報編集手段、の少なくとも１つとして機能させ、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われること、を特徴とする情報処理プログラム。
【請求項１２】
少なくとも端末装置および情報処理サーバを含む通信可能に接続された複数の情報処理装置によって、目的地までの案内情報を作成する案内情報作成手段と、上記目的地までの案内経路に基づいて、上記目的地までの経路案内処理に必要な上記案内情報の通信に掛かる通信量または通信料金である必要通信数量を予測する必要通信数量予測手段と、上記端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得する利用可能通信数量取得手段と、上記必要通信数量と上記利用可能通信数量の大小関係に基づいて、上記案内情報作成手段で作成した上記案内情報を編集するか否かを制御する案内情報編集手段と、を備え、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われる案内情報提供システムを構成するために、上記手段の少なくとも一つを備えたことを特徴とする上記情報処理サーバ。
【請求項１３】
少なくとも端末装置を含む通信可能に接続された複数の情報処理装置によって、目的地までの案内情報を作成する案内情報作成手段と、上記目的地までの案内経路に基づいて、上記目的地までの経路案内処理に必要な上記案内情報の通信に掛かる通信量または通信料金である必要通信数量を予測する必要通信数量予測手段と、上記端末装置の通信に対して設けられている通信量または通信料金の上限である上限通信数量、および当該通信で利用された通信量または通信料金である利用済通信数量に基づいて、当該通信で利用することができる通信量または通信料金である利用可能通信数量を取得する利用可能通信数量取得手段と、上記必要通信数量と上記利用可能通信数量の大小関係に基づいて、上記案内情報作成手段で作成した上記案内情報を編集するか否かを制御する案内情報編集手段と、を備え、上記必要通信数量の予測は、上記経路案内処理の実行中に繰返し行われ、上記利用可能通信数量の取得は、上記経路案内処理の実行中に都度更新された上記利用済通信数量に基づいて、上記経路案内処理の実行中に繰返し行われる案内情報提供システムを構成するために、上記手段の少なくとも一つを備えたことを特徴とする上記端末装置。
【発明の詳細な説明】
【技術分野】
【０００１】
本発明は、案内情報提供サーバ、案内情報提供システム、端末装置、案内情報提供方法およびプログラムに関する。
【背景技術】
【０００２】
通信会社が所定の期間における通信量の上限を予め設けていたり、利用者がこの上限を通信量または通信料金で予め指定していたりする。
【０００３】
特許文献１には、予め設定した上限通信料に累積通信料が達すると、通信料超過通知メッセージを画面に表示する技術が開示されている。
【０００４】
通信を行うナビゲーションサービスに特許文献１に開示されているこの技術を応用した場合、経路案内情報を受信している際に通信料超過通知メッセージを受信して経路案内を継続できない虞がある。
【０００５】
特許文献２には、経路案内の即時性を確保するために、通信負荷が大きい場合にはダウンロードするデータを地図案内型データからデータ量の比較的小さいターンバイターン（ＴＢＴ）データに切り替える技術が開示されている。
【先行技術文献】
【特許文献】
【０００６】
【特許文献１】特開平１０−７９８１２号公報
【特許文献２】特開２００３−３４４０６９号公報
【発明の概要】
【発明が解決しようとする課題】
【０００７】
しかしながら、通信を行うナビゲーションサービスに特許文献２に開示されているこの技術を応用した場合、単に経路案内が全てＴＢＴモードに切り替えられてしまうことに因り、経路案内中に、利用者にとって必要な案内情報が得られなくなる、という問題点がある。
【０００８】
本発明は、上記問題点に鑑みてなされたもので、通信量または通信料金の制限下において、利用者にとって必要な案内情報を提供しながら経路案内を目的地まで継続することができる案内情報提供サーバ、案内情報提供システム、端末装置、案内情報提供方法およびプログラムを提供することを目的とする。
【課題を解決するための手段】
【０００９】
このような目的を達成するため、本発明の案内情報提供サーバは、端末装置と通信可能に接続された、制御部を備えた案内情報提供サーバであって、上記制御部は、出発地から目的地までの案内経路に関する実行中の経路案内処理に伴う案内情報の要求、および当該経路案内処理が実行されているときに上記端末装置から送信された案内情報の要求のうち少なくとも１つに基づいて、上記案内情報を作成する案内情報作成手段と、現在位置に関する予め取得した現在位置情報および予め取得した上記案内経路に基づいて、上記現在位置から上記目的地までの上記経路案内処理に必要な上記案内情報の通信に掛かる通信量または通信料金である必要通信数量を予測する必要通信数量予測手段と、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出手段と、上記必要通信数量予測手段で予測した上記必要通信数量および上記利用可能通信数量算出手段で算出した上記利用可能通信数量を比較する通信数量比較手段と、上記通信数量比較手段で、上記必要通信数量が上記利用可能通信数量以上である、または上記必要通信数量が上記利用可能通信数量より大きい、と判断した場合には、上記案内情報作成手段で作成した上記案内情報を編集する案内情報編集手段と、を備えたこと、を特徴とする。
【００１０】
また、本発明の案内情報提供サーバは、上記の案内情報提供サーバにおいて、上記案内情報編集手段は、通信量または通信料金に関する予め設定した報知メッセージを上記案内情報作成手段で作成した上記案内情報に付加すること、を特徴とする。
【００１１】
また、本発明の案内情報提供サーバは、上記の案内情報提供サーバにおいて、上記報知メッセージは、データ省略の設定を促すメッセージを含むものであり、上記案内情報編集手段は、上記端末装置から送信された上記データ省略に関する設定情報に基づいて、上記案内情報作成手段で作成した上記案内情報を編集すること、を特徴とする。
【００１２】
また、本発明の案内情報提供サーバは、上記の案内情報提供サーバにおいて、上記案内情報編集手段は、上記案内情報作成手段で作成した上記案内情報の簡略化可能箇所の入力画面を上記報知メッセージとして当該案内情報に付加し、上記端末装置から送信された上記簡略化可能箇所に基づいて、上記案内情報作成手段で作成した上記案内情報を簡略化すること、を特徴とする。
【００１３】
また、本発明の案内情報提供サーバは、上記の案内情報提供サーバにおいて、データ省略に関する設定情報が格納されている記憶部をさらに備え、上記案内情報編集手段は、上記記憶部に格納されている上記設定情報に基づいて、上記案内情報作成手段で作成した上記案内情報を編集すること、を特徴とする。
【００１４】
また、本発明の案内情報提供サーバは、上記の案内情報提供サーバにおいて、上記記憶部には、移動履歴に関する移動履歴情報がさらに格納されており、上記案内情報編集手段は、上記記憶部に格納されている上記移動履歴情報に基づいて、上記案内情報作成手段で作成した上記案内情報から、通行経験のある経路の案内を簡略化すること、を特徴とする。
【００１５】
また、本発明の案内情報提供サーバは、上記の案内情報提供サーバにおいて、上記必要通信数量予測手段は、上記予め取得した上記案内経路のうちの上記現在位置から上記目的地までの経路の距離、および当該経路中の案内地点数の少なくとも１つに基づいて、上記必要通信数量を算出すること、を特徴とする。
【００１６】
また、本発明の案内情報提供サーバは、上記の案内情報提供サーバにおいて、上記必要通信数量予測手段は、上記予め取得した上記案内経路のうちの上記現在位置から上記目的地までの経路を案内するのに作成する上記案内情報についての上記必要通信数量を算出すること、を特徴とする。
【００１７】
また、本発明の案内情報提供システムは、制御部を備えた案内情報提供サーバ、および端末装置を通信可能に接続した案内情報提供システムであって、上記案内情報提供サーバの上記制御部は、出発地から目的地までの案内経路に関する実行中の経路案内処理に伴う案内情報の要求、および当該経路案内処理が実行されているときに上記端末装置から送信された案内情報の要求のうち少なくとも１つに基づいて、上記案内情報を作成する案内情報作成手段と、現在位置に関する予め取得した現在位置情報および予め取得した上記案内経路に基づいて、上記現在位置から上記目的地までの上記経路案内処理に必要な上記案内情報の通信に掛かる通信量または通信料金である必要通信数量を予測する必要通信数量予測手段と、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出手段と、上記必要通信数量予測手段で予測した上記必要通信数量および上記利用可能通信数量算出手段で算出した上記利用可能通信数量を比較する通信数量比較手段と、上記通信数量比較手段で、上記必要通信数量が上記利用可能通信数量以上である、または上記必要通信数量が上記利用可能通信数量より大きい、と判断した場合には、上記案内情報作成手段で作成した上記案内情報を編集する案内情報編集手段と、を備えたこと、を特徴とする。
【００１８】
また、本発明の案内情報提供システムは、出発地から目的地までの案内経路に関する実行中の経路案内処理に伴う案内情報の要求、および当該経路案内処理が実行されているときに端末装置から送信された案内情報の要求のうち少なくとも１つに基づいて、上記案内情報を作成する案内情報作成手段と、現在位置に関する予め取得した現在位置情報、および予め取得した上記案内経路に基づいて、上記現在位置から上記目的地までの上記経路案内処理に必要な上記案内情報の通信に掛かる通信量または通信料金である必要通信数量を予測する必要通信数量予測手段と、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出手段と、上記必要通信数量予測手段で予測した上記必要通信数量および上記利用可能通信数量算出手段で算出した上記利用可能通信数量を比較する通信数量比較手段と、上記通信数量比較手段で、上記必要通信数量が上記利用可能通信数量以上である、または上記必要通信数量が上記利用可能通信数量より大きい、と判断した場合に、上記案内情報作成手段で作成した上記案内情報を編集する案内情報編集手段と、を備えたこと特徴とする。
【００１９】
また、本発明の端末装置は、案内情報提供サーバと通信可能に接続された、制御部と出力部を備えた端末装置であって、上記制御部は、出発地から目的地までの案内経路に関する経路案内処理が実行されているときに、案内情報の要求、および現在位置に関する予め取得した現在位置情報を上記案内情報提供サーバに送信する要求送信手段と、上記案内情報提供サーバから送信された上記案内情報であって、上記案内情報提供サーバが、受信した上記要求に基づいて上記案内情報を作成し、受信した上記現在位置情報および予め取得した上記案内経路に基づいて、上記現在位置から上記目的地までの上記経路案内処理に必要な上記案内情報の通信に掛かる通信量または通信料金である必要通信数量を予測し、当該端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出し、予測した上記必要通信数量および算出した上記利用可能通信数量を比較し、上記必要通信数量が上記利用可能通信数量以上である、または上記必要通信数量が上記利用可能通信数量より大きい、と判断した場合に、作成した上記案内情報を編集したものを受信する案内情報受信手段と、上記案内情報受信手段で受信した上記案内情報を上記出力部に出力する出力実行手段と、を備えたこと、を特徴とする。
【００２０】
また、本発明の案内情報提供方法は、端末装置と通信可能に接続された、制御部を備えた案内情報提供サーバにおいて実行される案内情報提供方法であって、上記制御部において実行される、出発地から目的地までの案内経路に関する実行中の経路案内処理に伴う案内情報の要求、および当該経路案内処理が実行されているときに上記端末装置から送信された案内情報の要求のうち少なくとも１つに基づいて、上記案内情報を作成する案内情報作成ステップと、現在位置に関する予め取得した現在位置情報および予め取得した上記案内経路に基づいて、上記現在位置から上記目的地までの上記経路案内処理に必要な上記案内情報の通信に掛かる通信量または通信料金である必要通信数量を予測する必要通信数量予測ステップと、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出ステップと、上記必要通信数量予測ステップで予測した上記必要通信数量および上記利用可能通信数量算出ステップで算出した上記利用可能通信数量を比較する通信数量比較ステップと、上記通信数量比較ステップで、上記必要通信数量が上記利用可能通信数量以上である、または上記必要通信数量が上記利用可能通信数量より大きい、と判断した場合には、上記案内情報作成ステップで作成した上記案内情報を編集する案内情報編集ステップと、を含むこと、を特徴とする。
【００２１】
また、本発明の案内情報提供方法は、制御部を備えた案内情報提供サーバ、および端末装置を通信可能に接続した案内情報提供システムにおいて実行される案内情報提供方法であって、上記案内情報提供サーバの上記制御部において実行される、出発地から目的地までの案内経路に関する実行中の経路案内処理に伴う案内情報の要求、および当該経路案内処理が実行されているときに上記端末装置から送信された案内情報の要求のうち少なくとも１つに基づいて、上記案内情報を作成する案内情報作成ステップと、現在位置に関する予め取得した現在位置情報および予め取得した上記案内経路に基づいて、上記現在位置から上記目的地までの上記経路案内処理に必要な上記案内情報の通信に掛かる通信量または通信料金である必要通信数量を予測する必要通信数量予測ステップと、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出ステップと、上記必要通信数量予測ステップで予測した上記必要通信数量および上記利用可能通信数量算出ステップで算出した上記利用可能通信数量を比較する通信数量比較ステップと、上記通信数量比較ステップで、上記必要通信数量が上記利用可能通信数量以上である、または上記必要通信数量が上記利用可能通信数量より大きい、と判断した場合には、上記案内情報作成ステップで作成した上記案内情報を編集する案内情報編集ステップと、を含むこと、を特徴とする。
【００２２】
また、本発明の案内情報提供方法は、案内情報提供システムにおいて実行される案内情報提供方法であって、上記案内情報提供システムは、案内情報作成手段と、必要通信数量予測手段と、利用可能通信数量算出手段と、通信数量比較手段と、案内情報編集手段と、を備え、上記案内情報作成手段が、出発地から目的地までの案内経路に関する実行中の経路案内処理に伴う案内情報の要求、および当該経路案内処理が実行されているときに端末装置から送信された案内情報の要求のうち少なくとも１つに基づいて、上記案内情報を作成する案内情報作成ステップと、上記必要通信数量予測手段が、現在位置に関する予め取得した現在位置情報、および予め取得した上記案内経路に基づいて、上記現在位置から上記目的地までの上記経路案内処理に必要な上記案内情報の通信に掛かる通信量または通信料金である必要通信数量を予測する必要通信数量予測ステップと、上記利用可能通信数量算出手段が、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出ステップと、上記通信数量比較手段が、上記必要通信数量予測ステップで予測した上記必要通信数量および上記利用可能通信数量算出ステップで算出した上記利用可能通信数量を比較する通信数量比較ステップと、上記案内情報編集手段が、上記通信数量比較ステップで、上記必要通信数量が上記利用可能通信数量以上である、または上記必要通信数量が上記利用可能通信数量より大きい、と判断した場合に、上記案内情報作成ステップで作成した上記案内情報を編集する案内情報編集ステップと、を含むことを特徴とする。
【００２３】
また、本発明の案内情報提供方法は、案内情報提供サーバと通信可能に接続された、制御部と出力部を備えた端末装置において実行される案内情報提供方法あって、上記制御部において実行される、出発地から目的地までの案内経路の経路案内処理が実行されているときに、案内情報の要求および現在位置に関する予め取得した現在位置情報を上記案内情報提供サーバに送信する要求送信ステップと、上記案内情報提供サーバから送信された上記案内情報であって、上記案内情報提供サーバが、受信した上記要求に基づいて上記案内情報を作成し、受信した上記現在位置情報および予め取得した上記案内経路に基づいて、上記現在位置から上記目的地までの上記経路案内処理に必要な上記案内情報の通信に掛かる通信量または通信料金である必要通信数量を予測し、当該端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出し、予測した上記必要通信数量および算出した上記利用可能通信数量を比較し、上記必要通信数量が上記利用可能通信数量以上である、または上記必要通信数量が上記利用可能通信数量より大きい、と判断した場合に、作成した上記案内情報を編集したものを受信する案内情報受信ステップと、上記案内情報受信ステップで受信した上記案内情報を上記出力部に出力する出力実行ステップと、を含むこと、を特徴とする。
【００２４】
また、本発明のプログラムは、端末装置と通信可能に接続された、制御部を備えた案内情報提供サーバに実行させるためのプログラムであって、上記制御部において実行させるための、出発地から目的地までの案内経路に関する実行中の経路案内処理に伴う案内情報の要求、および当該経路案内処理が実行されているときに上記端末装置から送信された案内情報の要求のうち少なくとも１つに基づいて、上記案内情報を作成する案内情報作成ステップと、現在位置に関する予め取得した現在位置情報および予め取得した上記案内経路に基づいて、上記現在位置から上記目的地までの上記経路案内処理に必要な上記案内情報の通信に掛かる通信量または通信料金である必要通信数量を予測する必要通信数量予測ステップと、上記端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出する利用可能通信数量算出ステップと、上記必要通信数量予測ステップで予測した上記必要通信数量および上記利用可能通信数量算出ステップで算出した上記利用可能通信数量を比較する通信数量比較ステップと、上記通信数量比較ステップで、上記必要通信数量が上記利用可能通信数量以上である、または上記必要通信数量が上記利用可能通信数量より大きい、と判断した場合には、上記案内情報作成ステップで作成した上記案内情報を編集する案内情報編集ステップと、を含むこと、を特徴とする。
【００２５】
また、本発明のプログラムは、案内情報提供サーバと通信可能に接続された、制御部と出力部を備えた端末装置に実行させるためのプログラムあって、上記制御部において実行させるための、出発地から目的地までの案内経路の経路案内処理が実行されているときに、案内情報の要求および現在位置に関する予め取得した現在位置情報を上記案内情報提供サーバに送信する要求送信ステップと、上記案内情報提供サーバから送信された上記案内情報であって、上記案内情報提供サーバが、受信した上記要求に基づいて上記案内情報を作成し、受信した上記現在位置情報および予め取得した上記案内経路に基づいて、上記現在位置から上記目的地までの上記経路案内処理に必要な上記案内情報の通信に掛かる通信量または通信料金である必要通信数量を予測し、当該端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出し、予測した上記必要通信数量および算出した上記利用可能通信数量を比較し、上記必要通信数量が上記利用可能通信数量以上である、または上記必要通信数量が上記利用可能通信数量より大きい、と判断した場合に、作成した上記案内情報を編集したものを受信する案内情報受信ステップと、上記案内情報受信ステップで受信した上記案内情報を上記出力部に出力する出力実行ステップと、を含むこと、を特徴とする。
【発明の効果】
【００２６】
本発明によれば、出発地から目的地までの案内経路に関する実行中の経路案内処理に伴う案内情報の要求、および当該経路案内処理が実行されているときに端末装置から送信された案内情報の要求のうち少なくとも１つに基づいて、案内情報を作成し、現在位置に関する予め取得した現在位置情報および予め取得した案内経路に基づいて、現在位置から目的地までの経路案内処理に必要な案内情報の通信に掛かる通信量または通信料金である必要通信数量を予測し、端末装置の通信に対して設けられている通信量または通信料金の上限である予め設定した上限通信数量、および当該通信で利用された通信量または通信料金である予め取得した利用済通信数量に基づいて、当該通信で利用することができる通信量または通信料金である利用可能通信数量を算出し、予測した必要通信数量および算出した利用可能通信数量を比較し、必要通信数量が利用可能通信数量以上である、または必要通信数量が利用可能通信数量より大きい、と判断した場合には、作成した案内情報を編集する。これにより、通信量または通信料の制限下において、利用者にとって必要な案内情報を提供しながら経路案内を目的地まで継続することができる、という効果を奏する。
【００２７】
また、本発明によれば、通信量または通信料金に関する予め設定した報知メッセージを、作成した案内情報に付加する。これにより、経路案内中に上限の通信量または通信料金に達することを、利用者に事前に知らせることができるという効果を奏する。
【００２８】
また、本発明によれば、データ省略の設定を促すメッセージを含む報知メッセージを、作成した案内情報に付加し、端末装置から送信されたデータ省略に関する設定情報に基づいて、作成した案内情報を編集する。これにより、データ省略を、利用者の要望通りに行うことができるという効果を奏する。
【００２９】
また、本発明によれば、作成した案内情報の簡略化可能箇所の入力画面を報知メッセージとして当該案内情報に付加し、端末装置から送信された簡略化可能箇所に基づいて、作成した案内情報を簡略化する。これにより、案内の簡略化を、利用者の要望通りに行うことができるという効果を奏する。
【００３０】
また、本発明によれば、記憶部に予め格納されているデータ省略に関する設定情報に基づいて、作成した案内情報を編集する。これにより、データ省略を、利用者に問い合わることなく自動で行うことができるという効果を奏する。
【００３１】
また、本発明によれば、記憶部に予め格納されている移動履歴に関する移動履歴情報に基づいて、作成した案内情報から、通行経験のある経路の案内を簡略化する。これにより、利用者にとって必要性の低い案内の簡略化を、利用者に問い合わることなく自動で行うことができるという効果を奏する。
【００３２】
また、本発明によれば、予め取得した案内経路のうちの現在位置から目的地までの経路の距離、および当該経路中の案内地点数の少なくとも１つに基づいて、必要通信数量を算出する。これにより、必要通信数量を正確に予測することができるという効果を奏する。
【００３３】
また、本発明によれば、予め取得した案内経路のうちの現在位置から目的地までの経路を案内するのに作成する案内情報についての必要通信数量を算出する。これにより、必要通信数量を正確に予測することができるという効果を奏する。
【００３４】
なお、上記効果は本発明の案内情報提供サーバに関するものであるが、本発明の案内情報提供システム、端末装置、案内情報提供方法およびプログラムも上記効果と同様の効果を奏する。
【図面の簡単な説明】
【００３５】
【図１】図１は、第１の実施形態にかかる案内情報提供システムの構成の一例を示すブロック図である。
【図２】図２は、第１の実施形態にかかる案内情報提供システムで実行される処理の一例を示すフローチャートである。
【図３】図３は、報知メッセージの表示画面の一例を示す図である。
【図４】図４は、報知メッセージの表示画面の一例を示す図である。
【図５】図５は、報知メッセージの表示画面の一例を示す図である。
【図６】図６は、簡略化可能箇所の入力画面の一例を示す図である。
【図７】図７は、簡略化可能箇所の入力画面の一例を示す図である。
【図８】図８は、第２の実施形態にかかる案内情報提供システムの構成の一例を示すブロック図である。
【図９】図９は、第２の実施形態にかかる案内情報提供システムで実行される処理の一例を示すフローチャートである。
【発明を実施するための形態】
【００３６】
以下に、本発明にかかる案内情報提供サーバ、案内情報提供システム、端末装置、案内情報提供方法およびプログラムの実施形態を図面に基づいて詳細に説明する。なお、この実施の形態によりこの発明が限定されるものではない。
【００３７】
以下、本発明の構成および処理について、第１の実施形態（案内情報提供システム）および第２の実施形態（案内情報提供システム（サーバ主導型））の順にて詳細に説明する。
【００３８】
［第１の実施形態］
本発明の第１の実施形態（案内情報提供システム）について、図１から図７を参照して以下に説明する。但し、以下に示す第１の実施形態は、本発明の技術思想を具体化するための案内情報提供システムを例示するものであって、本発明をこの案内情報提供システムに特定することを意図するものではなく、特許請求の範囲に含まれるその他の実施形態の案内情報提供システムにも等しく適用し得るものである。例えば、第１の実施形態で例示する案内情報提供システムにおけるサーバ側と端末側の機能分散の形態は以下に限られず、同様の効果や機能を奏し得る範囲において、任意の単位で機能的または物理的に分散・統合して構成することができる。
【００３９】
［案内情報提供システムの構成］
第１の実施形態における案内情報提供システムの構成の一例について、図１を参照して説明する。図１は、第１の実施形態にかかる案内情報提供システムの構成の一例を示すブロック図であり、該構成のうち本発明に関係する部分のみを概念的に示している。
【００４０】
案内情報提供システムは、概略的に、端末装置１００と案内情報提供サーバ２００と通信会社４００（例えば、端末装置１００や案内情報提供サーバ２００等の通信を管理するサーバ等）とを、ネットワーク３００を介して通信可能に接続して構成される。なお、通信には、一例として、ネットワーク３００を介した有線・無線通信等の遠隔通信等が含まれる。また、案内情報提供システムを構成する端末装置１００の台数は、図１に示す１つに限定されることなく、複数でもよい。
【００４１】
［案内情報提供サーバ２００の構成］
案内情報提供サーバ２００は、出発地から目的地までの案内経路に関する実行中の経路案内処理に伴う案内情報の要求、および当該経路案内処理が実行されているときに端末装置１００から送信された案内情報の要求のうち少なくとも１つに基づいて、案内情報を作成し、現在位置に関する予め取得した現在位置情報および予め取得した案内経路（例えば、経路案内処理を実行中の案内経路）に基づいて、現在位置から目的地までの経路案内処理に必要な案内情報の通信に掛かる通信量または通信料金である必要通信数量を予測し、端末装置１００の通信に対して設けられている通信量または通信料金の上限である予め設定した上限通信数量、および当該通信で利用された通信量または通信料金である予め取得した利用済通信数量（例えば、現時点までの通信で利用された、都度更新される最新の利用済通信数量）に基づいて、当該通信で利用することができる通信量または通信料金である利用可能通信数量を算出し、予測した必要通信数量および算出した利用可能通信数量を比較し、必要通信数量が利用可能通信数量以上である、または必要通信数量が利用可能通信数量より大きい、と判断した場合には、作成した案内情報を編集する等の機能を有する。案内情報提供サーバ２００は、概略的に、制御部２０２と通信制御インターフェース部２０４と記憶部２０６とを備える。案内情報提供サーバ２００が備える各部は、任意の通信路を介して通信可能に接続されている。案内情報提供サーバ２００は、ネットワーク３００を経由して、端末装置１００および通信会社４００と通信可能に接続されている。
【００４２】
通信制御インターフェース部２０４は、通信回線や電話回線等に接続されるアンテナやルータ等の通信装置（図示せず）に接続されるインターフェースである。通信制御インターフェース部２０４は、案内情報提供サーバ２００とネットワーク３００との間における通信制御を行う機能を有する。通信制御インターフェース部２０４は、端末装置１００等と通信回線を介してデータを通信する機能を有する。
【００４３】
記憶部２０６は、ＨＤ（Ｈａｒｄ  Ｄｉｓｋ）等の固定ディスク装置およびＳＳＤ（Ｓｏｌｉｄ  Ｓｔａｔｅ  Ｄｒｉｖｅ）等のストレージ手段である。記憶部２０６には、各種のデータベースやテーブル、ファイル等が格納されている。記憶部２０６は、道路ネットワークデータベース２０６ａと交通ネットワークデータベース２０６ｂとユーザ設定情報記憶部２０６ｃとを含む。
【００４４】
道路ネットワークデータベース２０６ａには、道路網を規定する道路ネットワークデータが格納されている。道路ネットワークデータは、例えば、駅や交差点等の道路網表現上の結節点であるノードのノードデータと、ノード間の道路区間であるリンクのリンクデータとの組み合わせによって表現されるネットワークデータである。ノードデータは、ノード番号（例えばノードＩＤ等）、ノードの名称、緯度経度高度等の位置座標、ノード種別、接続するリンク本数、接続ノード番号、および交差点名称等の情報を含んでもよい。リンクデータは、リンク番号（例えばリンクＩＤ等）、開始ノードＩＤ、終了ノードＩＤ、道路の種別、国道や県道や市道等の路線番号、重用する路線情報、リンクの存在する行政区域の属性情報、リンク長（例えば距離等）、道路供用状況、異常気象時通行規制区間、車重制限、車両高さ制限、幅員、道路幅員区分、レーン情報（例えば、車線数、専用通行帯、路線バス等優先通行帯、車両通行区分、および進行方向別通行区分などについての車両通行帯情報等）、制限速度、高架、トンネルおよび橋等のリンク内属性、ならびに名称等の情報を含んでもよい。道路ネットワークデータは、利用料金データ等を含んでもよい。利用料金データは、自動車およびオートバイ等で移動する場合に消費する燃料料金、高速自動車国道および自動車専用道路等の有料道路の通行料金等を表す情報等でもよい。道路ネットワークデータは、自動車、オートバイ、自転車および徒歩等で移動する場合の経路上に存在する施設等の経度緯度情報などの位置情報等などを記憶してもよい。
【００４５】
道路ネットワークデータは、道路交通情報を含んでもよい。道路交通情報は、渋滞発生地点や渋滞距離や道路上の二地点間の通行時間（すなわち、旅行時間など）等の渋滞情報を含んでもよい。道路交通情報は、渋滞発生地点や渋滞距離や道路上の二地点間の通過時間（すなわち旅行時間等）等の渋滞情報を含んでもよい。道路交通情報は、交通障害情報や交通規制情報等を含んでもよい。交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行規制帯および道路の損壊等による車両通行止、交通の安全を確保するために設置されるコミュニティ・ゾーン等による一般車の進入禁止、ならびに私有地への接続路であることによる一般車の進入禁止等の情報などを含んでもよい。これら道路交通情報は、道路ネットワークデータベース２０６ａに予め記憶されており、案内情報提供サーバ２００の制御部２０２は、定期的（例えば、５分毎など）にネットワーク３００を介して最新のデータを外部システム（例えば、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、およびＡＴＩＳ（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（ＪＡＲＴＩＣ）など）等からダウンロードして道路ネットワークデータベース２０６ａに記憶された道路交通情報をアップデートしてもよい。
【００４６】
交通ネットワークデータベース２０６ｂには、鉄道、飛行機、バスおよび船等の各交通機関（例えば公共交通機関等）の路線網を規定する交通（路線網）ネットワークデータが格納されている。交通ネットワークデータは、例えば、路線網表現上の結節点であるノード（例えば、交通機関の停留地点である駅、停留場、停車場、停留所、空港、港およびターミナル等）のノードデータと、ノード間を接続する鉄道路線、航空路線、航路およびバス路線等のリンクのリンクデータとの組み合わせによって表現されるネットワークデータである。鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、およびリニアモーターカー等でもよい。ノードデータには、ノード番号（例えばノードＩＤ等）、ノードの名称（例えば、交通機関の停留地点の名称である駅名、停留場名、停車場名、停留所名、空港名、港名、およびターミナルの名称等）、および緯度経度高度等の位置座標等の情報を含んでもよい。リンクデータには、リンク番号（例えばリンクＩＤ等）、開始ノードＩＤ、終了ノードＩＤ、種別、リンク長（例えば距離等）、高架、トンネルおよび橋等のリンク内属性、ならびに名称（例えば路線名など）等の情報を含んでもよい。
【００４７】
交通ネットワークデータは、交通機関の時刻表データを含んでもよい。時刻表データは、鉄道、飛行機、バス、および船等の各交通機関の時刻表を表す情報である。時刻表データは、さらに、交通機関の行先情報（例えば最終行先情報など）、および交通機関の種別（例えば、特急、急行、準急、快速、快速急行、通勤特急、通勤快速、通勤急行、区間急行、区間準急、区間快速、各駅停車、および普通など）を含む情報でもよい。時刻表データは、さらに、路線上のノード（すなわち交通機関の停留地点）における交通機関の発着時刻（例えば、出発、経由および到着の予定時刻など）、交通機関の路線の名称、および交通機関の路線上のノード（すなわち交通機関の停留地点）の名称等の属性情報を含む情報でもよい。時刻表データは、交通機関の路線上のノードを結ぶ区間（例えば１つまたは複数のリンク等）毎に対応付けられた交通機関の属性情報（例えば種別および行先情報等）を含んでもよい。
【００４８】
交通ネットワークデータは、交通機関の利用料金データを含んでもよい。利用料金データは、例えば、鉄道、飛行機、バス、および船等の各交通機関を利用した場合に生じる利用料金等を表す情報等でもよい。交通ネットワークデータは、乗車位置データを含んでもよい。乗車位置データは、例えば、電車、市電、モノレール、ケーブルカー、およびリニアモーターカー等の複数の車両が連結した交通機関の乗車位置（一例として、改札口に近い車両、乗換に便利な位置の車両、混雑率の低い車両、および女性専用車両等）を表す情報等でもよい。交通ネットワークデータは、鉄道運行情報、航空運行情報、船舶運行情報、およびバス運行情報等の各交通機関の運行情報を含んでもよい。これら各交通機関の運行情報は、交通ネットワークデータベース２０６ｂに予め記憶されており、案内情報提供サーバ２００の制御部２０２は、定期的にネットワーク３００を介して最新のデータを外部システム等からダウンロードして交通ネットワークデータベース２０６ｂに記憶された各交通機関の運行情報をアップデートしてもよい。
【００４９】
ユーザ設定情報記憶部２０６ｃには、端末装置１００毎に有する端末ＩＤと共に、関連するユーザ設定情報が格納されている。ユーザ設定情報は、案内情報のデータ省略に関する設定情報、端末装置１００が移動（通行）した地点と日付情報を含む移動（走行）履歴情報、および利用者が経路案内時に設定する様々な条件に関する情報等を含む。ここで、地点は、目的地、経由地および出発地のうちのいずれか１つでもよい。移動履歴情報は、更に、地点の地点名称や緯度経度等を含んでもよい。また、移動履歴情報の日付情報は、地点の移動時の年月日等に加えて、地点の移動時の時分秒などの時刻情報を含んでもよい。例えば、移動履歴情報は、地点の移動時の日付情報（年／月／日／時／分）と地点名称と緯度経度とを対応付けて含んでもよい。移動履歴情報は、天気情報を提供する気象庁データサーバなどの外部機器から取得した、地点の移動時の天気情報（晴れ、曇り、雨、雪などの情報）を含んでもよい。
【００５０】
なお、記憶部２０６には、地図データがさらに記憶されていてもよい。地図データは、例えば、縮尺に従ってメッシュ化された地図データ（例えば、ＪＩＳ規格の第１〜３次地域区画メッシュデータ、および１００ｍメッシュデータ等）等の屋外地図データであってもよい。地図データは、全国および各地方の道路地図や路線図等の屋外地図データであってもよい。地図データは、例えば、高さ情報を持つ建築物（例えば、立体駐車場、駅、デパートおよび学校等）に関するフロア案内地図等の屋内地図データをさらに含んでもよい。
【００５１】
地図データは、地図上に表示される地物（例えば、ビルや住宅や駅等の建造物、道路、線路、橋、トンネル、等高線、海岸線や湖岸線等の水涯線、海、河川、湖、池、沼、公園や屋外施設等の場地、行政界、行政区域、および街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および口コミ情報等）についての注記データ、および地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに口コミ地点記号等）についての記号データ等のデータを含んでもよい。
【００５２】
屋内地図データは、施設等の構内における屋内経路についての構内経路データを含んでもよい。構内経路データとは、駅等の構内における移動経路データと、当該移動経路を含む地図（施設案内図）の地図データと、に少なくとも基づくデータでもよい。構内経路データは、施設案内図に移動経路が引いてある画像データでもよい。構内経路データは、さらに、移動経路を説明するメッセージデータを含んでもよい。移動経路データに基づく移動経路とは、施設内で複数の交通機関の乗換えをする場合の改札口等を結ぶ最適経路（例えば最短経路またはバリアフリー経路等）でもよい。
【００５３】
屋外地図データおよび屋内地図データは、ラスタ形式およびベクタ形式等の地図描画用の画像データであってもよい。屋外地図データおよび屋内地図データは、案内情報提供サーバ２００の制御部２０２が、定期的にネットワーク３００を介して最新のデータを外部機器（例えば地図データを提供する地図提供サーバ等）からダウンロードしてもよい。
【００５４】
制御部２０２は、ＯＳ（Ｏｐｅｒａｔｉｎｇ  Ｓｙｓｔｅｍ）等の制御プログラム、各種の処理手順等を規定したプログラムおよび所要データを格納するための内部メモリを有する。制御部２０２は、これらのプログラム等により、種々の処理を実行するための情報処理を行う。制御部２０２は、機能概念的に、送受信部２０２ａと、経路探索部２０２ｂと、案内情報作成部２０２ｃと、必要通信数量予測部２０２ｄと、利用可能通信数量算出部２０２ｅと、通信数量比較部２０２ｆと、案内情報編集部２０２ｇと、を備える。
【００５５】
送受信部２０２ａは、端末装置１００から送信された各種の情報（例えば、端末ＩＤ、出発地と目的地を含む経路探索条件、案内情報の要求、現在位置情報、当該現在位置情報の取得時刻、データ省略の設定に関する設定情報および案内情報の簡略化可能箇所など）を受信する。送受信部２０２ａは、各種の情報（例えば案内情報作成部２０２ｃで作成した経路案内情報および案内情報ならびに案内情報編集部２０２ｇで編集した案内情報など）を端末装置１００に送信する。ここで、案内情報の要求には、単に現在地が移動することに因る当該現在地以降の経路案内用データの要求や、利用者の任意の地図スクロール操作等に因る地図データの要求など、様々なデータの要求が含まれる。
【００５６】
経路探索部２０２ｂは、道路ネットワークデータおよび交通ネットワークデータを参照して、送受信部２０２ａで受信した経路探索条件を満たす出発地から目的地までの案内経路を探索し、探索した案内経路の案内経路データを生成する。出発地は、端末装置１００の利用者の現在位置でもよい。経路探索部２０２ｂは、経路探索条件に出発時刻または到着時刻が含まれていた場合、当該出発時刻または当該到着時刻を含む経路探索条件を満たす出発地から目的地までの案内経路を、道路ネットワークデータおよび交通ネットワークデータを参照して探索してもよい。経路探索部２０２ｂは、経路探索条件に経由地がさらに含まれていた場合、当該経由地を経由した出発地から目的地までの案内経路を、道路ネットワークデータおよび交通ネットワークデータを参照して探索してもよい。経路探索部２０２ｂは、経路探索条件に経由地および経由時刻がさらに含まれていた場合、当該経由地を当該経由時刻に経由する出発地から目的地までの案内経路を、道路ネットワークデータおよび交通ネットワークデータを参照して探索してもよい。
【００５７】
案内情報作成部２０２ｃは、経路探索部２０２ｂで探索した案内経路に基づいて、経路案内情報を作成したり、送受信部２０２ａで受信した要求に基づいて、当該要求された案内情報を作成したりする。ここで、案内情報作成部２０２ｃは、道路ネットワークデータおよび交通ネットワークデータを参照して、交通機関の乗降時刻、交通機関の行先、交通機関の路線種別、交通機関の路線名称、鉄道の駅およびバスの停留所などの乗降地点の名称、交通機関の乗車位置、案内経路の所要時間、および／または案内経路を使った場合の料金データ等を含む経路案内情報を作成してもよい。案内情報作成部２０２ｃは、案内経路を含む地図の地図データを含む経路案内情報を作成してもよい。案内情報作成部２０２ｃは、現在位置を含む地図データを取得し、当該地図データに現在位置を重畳させて表示する表示画面を含む経路案内情報を作成してもよい。
【００５８】
必要通信数量予測部２０２ｄは、送受信部２０２ａで受信した現在位置情報、および経路探索部２０２ｂで探索した出発地から目的地までの案内経路（例えば、経路案内処理を実行中の案内経路）に基づいて、現在位置から目的地までの経路案内に必要な案内情報（例えば音声データ、地図データまたは経路データなど）の通信に掛かる通信量または通信料金である必要通信数量を予測する。必要通信数量予測部２０２ｄは、経路探索部２０２ｂで探索した案内経路のうちの現在位置から目的地までの経路の距離、および当該経路中の案内地点数の少なくとも１つに基づいて、必要通信数量を算出してもよい。必要通信数量予測部２０２ｄは、経路探索部２０２ｂで探索した案内経路のうちの現在位置から目的地までの経路を案内するのに作成する案内情報についての必要通信数量を算出してもよい。必要通信数量予測部２０２ｄは、案内経路のうちの現在位置から目的地までの経路の距離（残距離）に、統計的に導かれた定数を乗算し、当該乗算で得られた数値を必要通信数量としてもよい。必要通信数量予測部２０２ｄは、案内経路のうちの現在位置から目的地までの経路に従って利用者が移動すると仮定した場合の実移動距離、または当該経路中の案内地点の個数などに基づいて、必要通信数量を算出してもよい。
【００５９】
利用可能通信数量算出部２０２ｅは、端末装置１００の通信に対して設けられている通信量または通信料金の上限である予め設定した上限通信数量、および端末装置１００の通信で所定期間に利用された通信量または通信料金である予め取得した利用済通信数量（例えば、現時点までの通信で利用された、都度更新される最新の利用済通信数量）に基づいて、端末装置１００の通信で利用することができる通信量または通信料金である利用可能通信数量を算出する。上限通信数量は、通信会社４００で指定されたまたは通信会社４００に指定したもの（例えば通信プラン等で定めたもの）でも、利用者が予め任意に指定したものでもよい。上限通信数量は、通信会社４００から取得したものでも、案内情報提供サーバ２００を利用してナビゲーションサービスを行う会社に対して利用者が予め指定し記憶部２０６に記憶させたものでもよい。利用済通信数量は、通信会社４００から取得したものでもよい。利用済通信数量は、案内情報提供サーバ２００において端末装置１００と通信を行うごとに記録したその通信量または通信料金（例えば単位量当たりの料金に基づいて通信量を料金に換算したもの）を加算（累積）したものでもよい。なお、通信量または通信料金の累積計算については、通信会社４００が当該計算の対象期間（計算期間）ごとに累積値を初期化することは一般的であるが、案内情報提供サーバ２００において当該計算を行う場合には、利用者から計算期間の指定を受け付け、受け付けた計算期間によって累積値の初期化を行ってもよい。
【００６０】
通信数量比較部２０２ｆは、必要通信数量予測部２０２ｄで予測した必要通信数量および利用可能通信数量算出部２０２ｅで算出した利用可能通信数量の大小を比較する。
【００６１】
案内情報編集部２０２ｇは、通信数量比較部２０２ｆで“必要通信数量が利用可能通信数量以上である”または“必要通信数量が利用可能通信数量より大きい”と判断した場合に、案内情報作成部２０２ｃで作成した案内情報を編集する。案内情報編集部２０２ｇは、通信量または通信料金に関する予め設定した報知メッセージ（例えば、データ省略の設定を促すメッセージをさらに含んでもよい）を、案内情報作成部２０２ｃ作成した案内情報に付加してもよい。案内情報編集部２０２ｇは、案内情報作成部２０２ｃで作成した案内情報の簡略化可能箇所の入力画面を、報知メッセージとして当該案内情報に付加してもよい。案内情報編集部２０２ｇは、送受信部２０２ａで受信したデータ省略に関する設定情報に基づいて、案内情報作成部２０２ｃで作成した案内情報を編集してもよい。案内情報編集部２０２ｇは、送受信部２０２ａで受信した簡略化可能箇所に基づいて、案内情報作成部２０２ｃで作成した案内情報を簡略化してもよい。案内情報編集部２０２ｇは、ユーザ設定情報記憶部２０６ｃに予め格納されているデータ省略に関する設定情報に基づいて、案内情報作成部２０２ｃで作成した案内情報を編集してもよい。案内情報編集部２０２ｇは、ユーザ設定情報記憶部２０６ｃに予め格納されている移動履歴情報に基づいて、案内情報作成部２０２ｃで作成した案内情報から、通行経験のある経路の案内を簡略化してもよい。
【００６２】
［端末装置１００の構成］
端末装置１００は、案内情報提供サーバ２００から送信される各種の情報を受信し、受信した情報を、出力部を介して出力させる等の機能を有する。端末装置１００は、例えば、一般に市販されているデスクトップ型またはノート型のパーソナルコンピュータ等の情報処理装置、携帯電話、スマートフォン、ＰＨＳおよびＰＤＡ等の携帯端末装置、および現在位置案内や走行経路案内等を行なうナビゲーション端末（例えばカーナビゲーション装置など）等である。端末装置１００は、インターネットブラウザ等を搭載していてもよく、経路案内アプリケーション、乗換案内アプリケーションおよび情報検索アプリケーション等を搭載していてもよい。端末装置１００は、リアルタイムに現在位置取得が行えるよう、ＧＰＳ機能やＩＭＥＳ（Ｉｎｄｏｏｒ  Ｍｅｓｓａｇｅ  Ｓｙｓｔｅｍ）機能等を有する位置取得部１１２を備えている。端末装置１００は、表示部１１４と音声出力部１１８とを含む出力部を備える。端末装置１００は、制御部１０２と、通信制御インターフェース部１０４と、記憶部１０６と、入出力制御インターフェース部１０８と、入力部１１６と、を備える。
【００６３】
表示部１１４は、アプリケーション等の表示画面を表示する表示手段（例えば、液晶または有機ＥＬ等から構成されるディスプレイおよびモニタ等）である。音声出力部１１８は、音声データを音声として出力する音声出力手段（例えばスピーカ等）である。入力部１１６は、検索キーや経路探索条件等の入力等を行うための入力手段（例えば、キー入力部、タッチパネル、キーボードおよびマイク等）である。入出力制御インターフェース部１０８は、位置取得部１１２、表示部１１４、入力部１１６および音声出力部１１８等の制御を行う。
【００６４】
位置取得部１１２は、例えば、位置発信装置５００から発信される位置情報信号を受信する信号受信手段であってもよい。位置発信装置５００は、位置情報信号（ＧＰＳ信号）を発信するＧＰＳ装置でもよい。位置発信装置５００は、端末装置１００との間で無線通信を行うための装置等である基地局（例えば、携帯電話、自動車電話、およびＰＨＳの基地局等）でもよい。位置発信装置５００は、ＧＰＳ信号と類似した特徴を持つ位置情報信号を用いて屋内測位を可能とするＩＭＥＳ技術を実現するＩＭＥＳ装置でもよい。なお、ＩＭＥＳ技術は測位衛星システムである準天頂衛星の枠組みから発案されたシステムである。
【００６５】
位置発信装置５００は、屋外で受信したＧＰＳ信号を屋内で発信するＧＰＳリピータでもよい。位置発信装置５００は、建物（例えば立体駐車場等）内の各フロアや地下構造物（例えば、地下鉄駅、地下街、地下連絡通路および地下駐車場等）の各所に任意に設置される小型発信装置でもよい。小型発信装置には、設置場所に応じた自己位置情報（位置ＩＤ等）が割り振られており、端末装置１００が通信可能範囲に入ると、端末装置１００が小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等でもよい。位置発信装置５００は、無線ＬＡＮのアクセスポイントでもよい。位置取得部１１２は、無線ＬＡＮ信号等を受信して、アクセスポイントの識別情報を取得し、制御部１０２は、位置取得部１１２で取得したアクセスポイント固有の識別情報からアクセスポイントの位置を特定して位置情報を取得してもよい。制御部１０２は、位置取得部１１２で取得した位置情報信号から、緯度、経度および高さ情報を含む位置情報を算出してもよい。
【００６６】
位置取得部１１２は、例えば、方位センサで検出した端末装置１００の進行方向等の方位情報、距離センサで検出した距離情報、および地図データに基づいて端末装置１００の利用者の現在位置を示す位置情報を取得してもよい。方位センサには、端末装置１００の絶対走行方位を検出する地磁気センサ、および端末装置１００の相対走行方位を検出する光ジャイロ等が使用されてもよい。方位センサは、地磁気センサと加速度センサを組み合わせることで方位や傾きに関する情報を取得できる電子コンパス等でもよい。距離センサは、端末装置１００が車載の情報処理端末である場合、車軸の回転数に比例してパルス信号を発生させ、パルス信号の数量に比例した移動距離を検出してもよい。位置取得部１１２は、端末装置１００が車載の情報処理端末である場合、各車両に搭載された通信装置の車車間通信から自車位置を示す位置情報を取得してもよい。
【００６７】
通信制御インターフェース部１０４は、通信回線や電話回線等に接続されるアンテナやルータ等の通信装置（図示せず）に接続されるインターフェースである。通信制御インターフェース部１０４は、端末装置１００とネットワーク３００との間における通信制御を行う機能を有する。通信制御インターフェース部１０４は、案内情報提供サーバ２００等と通信回線を介してデータを通信する機能を有する。ネットワーク３００は、端末装置１００、案内情報提供サーバ２００および通信会社４００と、外部の地図提供サーバ等の外部機器または外部システムとを相互に接続する機能を有する。ネットワーク３００は、例えば、インターネット、電話回線網（携帯端末回線網および一般電話回線網等）、イントラネットまたは電力線通信（ＰＬＣ）等でもよい。
【００６８】
記憶部１０６は、ＨＤやＳＳＤ等の大容量のストレージ手段、および／またはＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６には、各種のデータベースやテーブル、ファイル等が格納されてもよい。記憶部１０６は、各種のファイル等を一時的に記憶するものでもよい。
【００６９】
制御部１０２は、ＯＳ等の制御プログラム、各種の処理手順等を規定したプログラムおよび所要データを格納するための内部メモリを有する。制御部１０２は、これらのプログラム等により、種々の処理を実行するための情報処理を行う。制御部１０２は、機能概念的に、本発明の要求送信手段および案内情報受信手段を含む送受信部１０２ａと、現在位置情報取得部１０２ｂと、経路案内部１０２ｃと、出力実行部１０２ｄと、を備える。
【００７０】
送受信部１０２ａは、各種の情報（例えば、端末ＩＤ、出発地と目的地とを含む経路探索条件、案内情報の要求、現在位置情報、当該現在位置情報の取得時刻、データ省略の設定に関する設定情報および案内情報の簡略化可能箇所など）を案内情報提供サーバ２００に送信する。送受信部１０２ａは、案内情報提供サーバ２００から送信された各種の情報（例えば経路案内情報および案内情報など）を受信する。
【００７１】
現在位置情報取得部１０２ｂは、端末装置１００の利用者の現在位置情報を取得する。現在位置情報取得部１０２ｂは、端末装置１００の利用者の現在位置情報を所定時間（所定周期）ごと（例えば、１秒ごとまたは３分ごと等）に取得してもよい。現在位置情報取得部１０２ｂは、位置取得部１１２が、位置発信装置５００から受信した位置情報信号に基づいて算出した位置情報を、端末装置１００の利用者の現在位置情報として取得してもよい。現在位置情報取得部１０２ｂは、さらに、位置取得部１１２の方位センサ等で検出した端末装置１００の進行方向等の方位情報を、端末装置１００の利用者の現在位置情報として取得してもよい。
【００７２】
現在位置情報取得部１０２ｂは、利用者に入力部１１６を介して入力された現在位置の位置座標等の位置情報を、端末装置１００の利用者の現在位置情報として取得してもよい。利用者に入力部１１６を介して入力された現在位置情報に基づく現在位置は、利用者が現実に存在する位置でもよく、利用者により任意に選択された仮想の位置（一例として、東京にいる利用者により選択された大阪の駅や空港等の任意の地点）でもよい。現在位置情報取得部１０２ｂは、表示部１１４に表示された地図データの表示画面上で利用者に入力部１１６を介して指定（例えば、タッチパネル式の表示部１１４での指定操作等）させた位置の座標を、端末装置１００の利用者の現在位置情報として取得してもよい。現在位置情報取得部１０２ｂは、表示部１１４に表示された地図データの表示画面上で利用者に入力部１１６を介して指定させた方位情報を、端末装置１００の利用者の現在位置情報として取得してもよい。
【００７３】
経路案内部１０２ｃは、現在位置情報取得部１０２ｂで取得した現在位置情報および送受信部１０２ａで受信した経路案内情報に従って、出発地から目的地までの経路案内処理を実行する経路案内手段である。経路案内部１０２ｃは、利用者に入力部１１６を介して案内経路を指定した経路案内要求を入力させるよう制御し、入力された経路案内要求を案内情報提供サーバ２００に送信し、案内情報提供サーバ２００から送信される、経路案内要求に基づいて生成された経路案内情報を受信して、現在位置情報取得部１０２ａで取得される現在位置情報の更新に応じて経路案内情報に基づく案内経路等を表示部１１４に表示させる。経路案内部１０２ｃは、経路探索条件に基づいて生成された経路探索結果を案内情報提供サーバ２００から受信し、受信した複数の経路に関する経路探索結果のうち、経路案内を実行する一の経路を利用者に入力部１１６を介して選択させるように制御し、選択された経路について経路案内要求を案内情報提供サーバ２００に送信して経路案内情報を取得してもよい。経路案内部１０２ｃは、経路案内にかかる案内経路と、現在位置情報取得部１０２ａで取得される現在位置情報に基づく現在位置とを、表示部１１４の表示画面に表示させることにより、経路案内を実行してもよい。経路案内部１０２ｃは、地図データ上に、経路情報の案内経路、および端末装置１００の現在位置情報に基づく現在位置を重畳した表示画面を、表示部１１４に表示させてもよい。経路案内部１０２ｃは、経路案内情報に含まれる案内経路上の分岐点等の案内地点における進行方向等に対応付けられた音声案内データを、音声出力部１１８を介して音声出力させることにより、経路案内を実行してもよい。
【００７４】
出力実行部１０２ｄは、送受信部１０２ａで受信した案内情報等を出力部（例えば表示部１１４や音声出力部１１８など）に出力させる。出力実行部１０２ｄは、送受信部１０２ａで受信した案内経路データ、および／または案内経路を含む地図の地図データ、および／または表示案内データに基づく表示画面を、表示部１１４に表示させてもよい。出力実行部１０２ｄは、端末装置１００の利用者の現在位置情報を、出力部を介して出力させてもよい。出力実行部１０２ｄは、表示画面に対応した音声案内データ（例えば、案内経路上の分岐点等における進行方向等）を、音声出力部１１８を介して出力させてもよい。
【００７５】
以上で、第１の実施形態にかかる案内情報提供システムの構成の一例の説明を終える。
【００７６】
［案内情報提供システムの処理］
つぎに、このように構成された第１の実施形態にかかる案内情報提供システムで実行される処理の一例について、図２から図７を参照して詳細に説明する。図２は、第１の実施形態にかかる案内情報提供システムで実行される処理の一例を示すフローチャートである。
【００７７】
図２に示すように、まず、送受信部１０２ａは、出発地と目的地を含む予め設定された経路探索条件を、案内情報提供サーバ２００に送信する（ステップＳＡ１）。経路探索条件は経由地をさらに含んでもよい。出発地または目的地として、現在位置情報取得部１０２ｂで取得した、端末装置１００の利用者の現在位置情報に基づく現在位置を設定してもよい。出発地または目的地として、位置取得部１１２が位置発信装置５００から受信した位置情報信号に基づいて算出した位置情報、および／または位置取得部１１２の方位センサで検出した端末装置１００の進行方向等の方位情報を設定してもよい。出発地、目的地または経由地として、利用者に入力部１１６を介して入力された位置座標等を設定してもよい。出発地、目的地または経由地として、表示部１１４に表示された地図の表示画面上で利用者が入力部１１６を操作して指定（例えば、タッチパネル方式の表示部１１４での指定操作等）させた座標、および／または方位情報を設定してもよい。
【００７８】
つぎに、送受信部２０２ａは、ステップＳＡ１で送信した経路探索条件を受信する（ステップＳＡ２）。
【００７９】
つぎに、経路探索部２０２ｂは、ステップＳＡ２で受信した経路探索条件に従って、出発地から目的地までの案内経路を探索し、案内情報作成部２０２ｃは、当該探索した案内経路に基づいて経路案内情報を作成する（ステップＳＡ３）。
【００８０】
つぎに、送受信部２０２ａは、ステップＳＡ３で作成した経路案内情報を端末装置１００に送信する（ステップＳＡ４）。
【００８１】
つぎに、送受信部１０２ａは、ステップＳＡ４で送信した経路案内情報を受信する（ステップＳＡ５）。
【００８２】
つぎに、経路案内部１０２ｃは、ステップＳＡ５で受信した経路案内情報および現在位置情報取得部１０２ｂで取得した現在位置情報に基づいて、出発地から目的地までの案内経路の経路案内処理を実行し始める（ステップＳＡ６）。
【００８３】
つぎに、ステップＳＡ６で開始した経路案内処理が、目的地に到着していないまたは経路案内の終了指示を受けていない等に因り、終了していない場合（ステップＳＡ７：Ｎｏ）には、送受信部１０２ａは、案内情報の要求と、現在位置情報取得部１０２ｂで取得した端末装置１００の利用者の現在位置情報とを、案内情報提供サーバ２００に送信する（ステップＳＡ８）。ここで、案内情報の要求は、経路案内に伴い必要なデータの要求に限らず、案内情報提供サーバ２００に対する様々なデータの要求を含む。案内情報の要求は、例えば、経路案内処理中における現在地の単なる移動に因る当該現在地以降の経路案内用データの要求、および経路案内中における利用者の任意の地図スクロール操作等に因る地図データの要求などを含む。
【００８４】
つぎに、送受信部２０２ａは、ステップＳＡ８で送信した案内情報の要求および現在位置情報を受信する（ステップＳＡ９）。
【００８５】
つぎに、案内情報作成部２０２ｃは、ステップＳＡ９で受信した要求に従って、要求された案内情報を作成する（ステップＳＡ１０）。
【００８６】
つぎに、必要通信数量予測部２０２ｄは、ステップＳＡ３で探索した案内経路（経路案内処理を実行中の案内経路）およびステップＳＡ９で受信した現在位置情報に基づいて、現在位置から目的地までの経路案内に必要な案内情報の通信に掛かる必要通信数量を予測する（ステップＳＡ１１）。ここで、必要通信数量予測部２０２ｄは、端末装置１００の利用者が現在位置以降を案内経路通りに移動すると仮定した場合に現在位置以降の経路の経路案内で作成が必要な案内情報（例えば、音声データ、地図データ、経路データなど）の通信量または通信料金を、ステップＳＡ１０で作成した案内情報の通信量または通信料金も含めて足し合わせることで、必要通信数量を算出してもよい。必要通信数量予測部２０２ｄは、現在位置から目的地まで案内経路の残距離に、統計的に導かれる予め設定した定数を乗算することで、必要通信数量を算出してもよい。必要通信数量予測部２０２ｄは、端末装置１００の利用者が現在位置から目的地までの案内経路に従って移動すると仮定した場合の当該案内経路の実移動距離、および当該案内経路中の案内地点の個数などのうち少なくとも１つに基づいて、必要通信数量を算出してもよい。
【００８７】
つぎに、利用可能通信数量算出部２０２ｅは、予め設定した上限通信数量および予め取得した利用済通信数量（例えば、現時点までの通信で利用された、都度更新される最新の利用済通信数量）に基づいて、利用可能通信数量を算出する（ステップＳＡ１２）。ここで、上限通信数量は、通信会社４００で指定されたもの（例えば通信プラン等で定めたもの）または通信会社４００に指定したものでも、利用者が予め任意に指定したものでもよい。上限通信数量は、通信会社４００から取得したものでも、案内情報提供サーバ２００を利用してナビゲーションサービスを行う会社に対して利用者が予め指定し記憶部２０６に記憶させておいたものでもよい。利用済通信数量は、通信会社４００から取得したものでもよい。利用済通信数量は、案内情報提供サーバ２００において端末装置１００と通信を行うごとに記録したその通信量または通信料金（例えば単位量当たりの料金に基づいて通信量を料金に換算したもの）を加算（累積）したものでもよい。なお、通信量または通信料金の累積計算については、通信会社４００が、当該計算の対象期間（計算期間）ごとに累積値を初期化することは一般的であるが、案内情報提供サーバ２００において当該計算を行う場合には、利用者から計算期間の指定を受け付け、受け付けた計算期間によって累積値の初期化を行ってもよい。
【００８８】
つぎに、通信数量比較部２０２ｆは、ステップＳＡ１１で予測した必要通信数量およびステップＳＡ１２で算出した利用可能通信数量の大小を比較し、この比較結果が“必要通信数量が利用可能通信数量より大きい”というものである場合（ステップＳＡ１３：Ｙｅｓ）には、案内情報編集部２０２ｇは、“通信量または通信料金の上限の範囲内で目的地まで案内情報を送信することができない”という内容の予め設定した報知メッセージ（データ省略の設定を促すメッセージを含む）をステップＳＡ１０で作成した案内情報に付加する、または案内情報の簡略化可能箇所の入力画面をステップＳＡ１０で作成した案内情報に報知メッセージとして付加する、という編集を行う（ステップＳＡ１４）。
【００８９】
つぎに、送受信部２０２ａは、ステップＳＡ１４で編集した案内情報、または通信量比較部２０２ｆでの比較結果が“必要通信量が利用可能通信量より大きい”というものでない場合（ステップＳＡ１３：Ｎｏ）にはステップＳＡ１０で作成した案内情報を、端末装置１００に送信する（ステップＳＡ１５）。
【００９０】
つぎに、送受信部１０２ａは、ステップＳＡ１５で送信された案内情報を受信する（ステップＳＡ１６）。
【００９１】
つぎに、出力実行部１０２ｄは、ステップＳＡ１６で受信した案内情報を表示部１１４および／または音声出力部１１８に出力する（ステップＳＡ１７）。
【００９２】
ここで、ステップＳＡ１７において、受信した案内情報に、データ省略の設定を促すメッセージを含む報知メッセージが付加されていた場合には、出力実行部１０２ｄは当該報知メッセージを表示部１１４に表示してもよい。報知メッセージの表示画面の一例を、図３、図４および図５に示す。図３に示す表示画面Ａは、データ省略の設定を促すメッセージを含む通信量に関する報知メッセージが表示されたものである。表示画面Ａには、“通信量上限のお知らせ”と題したメッセージが図示の如く表示されており、データ省略の設定を行わずに経路案内をこのまま継続することを利用者に選択させるための選択領域ａ１と、データ省略の設定を行うことを利用者に選択させるための選択領域ａ２とが含まれている。図４に示す表示画面Ｂは、データ省略の設定を促すメッセージを含む通信料金に関する報知メッセージが表示されたものである。表示画面Ｂには、“通信料上限のお知らせ”と題したメッセージが図示の如く表示されており、データ省略の設定を行うことを利用者に選択させるための選択領域ｂ１と、追加料金を支払って、データ省略の設定を行わずに経路案内をこのまま継続することを利用者に選択させるための選択領域ｂ２とが含まれている。表示画面Ｂでは、“追加料金を支払えばデータ省略しなくとも経路案内が継続可能”という選択肢を利用者に明確に与えている。図５に示す表示画面Ｃは、データ省略の設定を促すメッセージを含む通信料金に関する報知メッセージが表示されたものである。表示画面Ｃには、“案内に関する料金通知”と題した、目的地までの経路案内に掛かると予測される追加料金を明示したメッセージが図示の如く表示されており、データ省略の設定を行わずに経路案内をこのまま継続することを利用者に選択させるための選択領域ｃ１と、データ省略の設定を行うことを利用者に選択させるための選択領域ｃ２とが含まれている。明示する追加料金は、ステップＳＡ１１で予測された必要通信数量に基づいたものでもよい。
【００９３】
また、ステップＳＡ１７において、受信した案内情報に、案内の簡略化可能箇所の入力画面が報知メッセージとして付加されていた場合には、出力実行部１０２ｄは当該入力画面を表示部１１４に表示してもよい。入力画面の一例を、図６および図７に示す。図６に示す入力画面Ｄは、案内経路の主要ポイントが列挙されたものである。入力画面Ｄには、列挙されている主要ポイント間に、主要ポイント間の案内の要・不要を利用者に選択させるための選択領域ｄ１が設けられている。図７に示す入力画面Ｅは、主要ポイントが明示されている案内経路が地図上に表示されているものである。入力画面Ｅは、明示されている主要ポイント間の区間（図７に示す区間ｅ１や区間ｅ２など）を利用者が入力部１１６を介して指示することで、各区間の案内の要・不要を選択することができるように設計されている。なお、図７において、実線表示されている区間ｅ１は、詳細案内が必要であるとして利用者が選択した区間であり、破線表示されている区間ｅ２は、簡易案内区間であり、詳細案内が不要であるとして利用者が選択した区間である。このように、経路の表示態様を実線や破線等で変更することにより、入力画面Ｅは、利用者に案内の要・不要を選択させるためだけでなく、選択した要・不要を確認するためにも機能する。また、データの削減度または詳細度は多段階に設定可能としてもよく、その際には各区間をどの段階の削減度または詳細度に設定するかを適宜決めてもよい。
【００９４】
図２に戻り、つぎに、制御部１０２が入力部１１６を介して利用者からの案内のデータ省略の指示または案内の簡略化可能箇所の指定を一定時間内に受けた場合（ステップＳＡ１８：Ｙｅｓ）には、送受信部１０２ａは、当該データ省略に関する設定情報または指定された簡略化可能箇所を、案内情報提供サーバ２００に送信する（ステップＳＡ１９）。なお、データ省略の指示または案内の簡略化可能箇所の指定が一定時間内にない場合（ステップＳＡ１８：Ｎｏ）には、制御部１０２で実行される処理はステップＳＡ７に戻る。
【００９５】
つぎに、送受信部２０２ａは、ステップＳＡ１９で送信した設定情報または簡略化可能箇所を受信する（ステップＳＡ２０）。
【００９６】
つぎに、案内情報編集部２０２ｇは、ステップＳＡ２０で受信した設定情報に基づいてステップＳＡ１０で作成した案内情報を編集する、または受信した簡略化可能箇所に基づいてステップＳＡ１０で作成した案内情報について当該簡略化可能箇所の案内を簡略化する編集を行う（ステップＳＡ２１）。
【００９７】
つぎに、送受信部２０２ａは、ステップＳＡ２１で編集（簡略化）してデータ省略（削減）された案内情報を端末装置１００に送信する（ステップＳＡ２２）。
【００９８】
つぎに、送受信部１０２ａは、ステップＳＡ２２で送信された案内情報を受信する（ステップＳＡ２３）。
【００９９】
つぎに、出力実行部１０２ｄは、ステップＳＡ２３で受信した案内情報を表示部１１４に表示する（ステップＳＡ２４）。
【０１００】
そして、端末装置１００で実行されている経路案内が終了する（ステップＳＡ７：Ｙｅｓ）まで、ステップＳＡ７からステップＳＡ２４までの処理が繰り返される。
【０１０１】
以上、案内情報提供システムで実行される処理により、通信量または通信料の制限下において目的地までの経路案内を保証することが可能となる。なお、上記で説明した処理は、端末装置１００からデータ省略に関する指定を受けてから、案内情報のデータ省略（削減）を行う場合についての一例であったが、案内情報提供サーバ２００がステップＳＡ１４において、ユーザ設定情報記憶部２０６ｃに予め格納されているデータ省略に関する設定情報または移動履歴情報に基づいて案内情報のデータ省略を自動で行ってもよい。例えば、案内情報編集部２０２ｇは、移動履歴情報を参照して、現在位置から目的地までの案内経路の通行経験の有無を確認し、通行経験のある経路の案内は案内不要で、通行経験のない経路の案内は案内必要であると判定し、当該判定結果に基づいて、ステップＳＡ１０で作成した案内情報に対して、通行経験のある経路の案内を簡略化する編集を行ってもよい。ここで、案内の要・不要は、経路の形状の複雑さ（例えば、交差点の数、案内地点の数またはこれらの密度など）に合わせて判定してもよい。なお、データ省略（削減）の方法として、ＴＢＴモード、地図表示簡易モード、音声案内のみ、音声案内なし等の一般的な技術を採用してもよい。そして、ステップＳＡ１４において自動で案内情報のデータ省略を行う場合、上記で説明した処理のうち、ステップＳＡ１８からステップＳＡ２４までの処理が省略される。
【０１０２】
以上で、第１の実施形態にかかる案内情報提供システムで実行される処理の一例の説明を終える。
【０１０３】
［第２の実施形態］
続いて、本発明の第２の実施形態（案内情報提供システム（サーバ主導型））について、図８および図９を参照して説明する。図８は、第２の実施形態にかかる案内情報提供システムの構成の一例を示すブロック図であり、該構成のうち本発明に関係する部分のみを概念的に示している。図９は、第２の実施形態にかかる案内情報提供システムで実行される処理の一例を示すフローチャートである。
【０１０４】
なお、第２の実施形態においては、案内情報提供サーバ２００で端末装置１００の出力部に出力させるデータを生成し、これらのデータを端末装置１００へ送信することにより、当該端末装置１００の出力部を機能させている。このように、第２の実施形態は、案内情報提供サーバ２００がサーバ主導で処理を実行する点がその他の実施形態と異なる。
【０１０５】
［案内情報提供サーバ２００（サーバ主導型）の構成］
第２の実施形態における案内情報提供サーバ２００の構成の一例について図８を参照して説明する。
【０１０６】
図８に示すように、第２の実施形態の案内情報提供サーバ２００は、位置取得部１１２と出力部（表示部１１４および音声出力部１１８）と入力部１１６と制御部１０２とを少なくとも備えた端末装置１００に通信可能に接続され、制御部２０２と通信制御インターフェース部２０４と記憶部２０６とを備える。
【０１０７】
案内情報提供サーバ２００は、出発地から目的地までの案内経路に関する実行中の経路案内処理に伴う案内情報の要求、および当該経路案内処理が実行されているときに端末装置１００から送信された案内情報の要求のうち少なくとも１つに基づいて、案内情報を作成し、現在位置に関する予め取得した現在位置情報および予め取得した案内経路（例えば、経路案内処理を実行中の案内経路）に基づいて、現在位置から目的地までの経路案内処理に必要な案内情報の通信に掛かる通信量または通信料金である必要通信数量を予測し、端末装置１００の通信に対して設けられている通信量または通信料金の上限である予め設定した上限通信数量、および当該通信で利用された通信量または通信料金である予め取得した利用済通信数量（例えば、現時点までの通信で利用された、都度更新される最新の利用済通信数量）に基づいて、当該通信で利用することができる通信量または通信料金である利用可能通信数量を算出し、予測した必要通信数量および算出した利用可能通信数量を比較し、必要通信数量が利用可能通信数量以上である、または必要通信数量が利用可能通信数量より大きい、と判断した場合には、作成した案内情報を編集する等の機能を有する。
【０１０８】
通信制御インターフェース部２０４および記憶部２０６（道路ネットワークデータベース２０６ａ、交通ネットワークデータベース２０６ｂおよびユーザ設定情報記憶部２０６ｃ等）の機能、ならびに端末装置１００における位置取得部１１２、表示部１１４、入力部１１６および音声出力部１１８の機能は、第１の実施形態と同様であるため説明を省略する。
【０１０９】
図６において、制御部２０２は、ＯＳ（Ｏｐｅｒａｔｉｎｇ  Ｓｙｓｔｅｍ）等の制御プログラム、各種の処理手順等を規定したプログラムおよび所要データを格納するための内部メモリを有する。制御部２０２は、これらのプログラム等により、種々の処理を実行するための情報処理を行う。制御部２０２は、機能概念的に、送受信部２０２ａと、経路探索部２０２ｂと、案内情報作成部２０２ｃと、必要通信数量予測部２０２ｄと、利用可能通信数量算出部２０２ｅと、通信数量比較部２０２ｆと、案内情報編集部２０２ｇと、現在位置情報取得部２０２ｈと、経路案内部２０２ｉと、出力実行部２０２ｊと、を備える。なお、経路探索部２０２ｂ、案内情報作成部２０２ｃ、必要通信数量予測部２０２ｄ、利用可能通信数量算出部２０２ｅ、通信数量比較部２０２ｆ、および案内情報編集部２０２ｇの機能は、第１の実施形態と同様であるため説明を省略する。
【０１１０】
送受信部２０２ａは、端末装置１００から送信された各種の情報（例えば、端末ＩＤ、出発地と目的地を含む経路探索条件、案内情報の要求、現在位置信号、経路案内処理の終了指示、データ省略の設定に関する設定情報および案内情報の簡略化可能箇所など）を受信する。送受信部２０２ａは、各種の情報（例えば案内情報作成部２０２ｃで作成した経路案内情報および案内情報ならびに案内情報編集部２０２ｇで編集した案内情報など）を端末装置１００に送信する。ここで、案内情報の要求には、単に現在地が移動することに因る当該現在地以降の経路案内用データの要求や、利用者の任意の地図スクロール操作等に因る地図データの要求など、様々なデータの要求が含まれる。
【０１１１】
現在位置情報取得部２０２ｈは、端末装置１００の利用者の現在位置情報を取得する。現在位置情報取得部２０２ｈは、位置取得部１１２が位置発信装置５００から受信した位置情報信号を端末装置１００から受信し、受信した位置情報信号から算出した位置情報を、端末装置１００の利用者の現在位置情報として取得してもよい。現在位置情報取得部２０２ｈは、端末装置１００の入力部１１６を介して利用者により入力された現在位置についての位置座標等の位置情報を受信し、当該位置情報を端末装置１００の利用者の現在位置情報として取得してもよい。
【０１１２】
経路案内部２０２ｉは、案内情報作成部２０２ｃで作成した経路案内情報に基づく表示画面および／または案内経路に対応する音声案内データを生成する。経路案内部２０２ｉは、現在位置情報取得部２０２ｈで取得した端末装置１００の利用者の現在位置情報に基づく表示画面を生成してもよい。経路案内部２０２ｉは、例えば、経路案内情報に含まれる案内経路の進行方向等に対応付けられたＴＢＴ等の表示案内データの表示画面を生成してもよい。経路案内部２０２ｉは、例えば、経路案内情報に含まれる地図データ上に、経路案内情報に含まれる案内経路データ、および／または経路案内情報に含まれる端末装置１００の利用者の現在位置情報、を重畳した表示画面を生成してもよい。
【０１１３】
出力実行部２０２ｊは、案内情報作成部２０２ｃで作成した案内情報や経路案内部２０２ｉで生成された表示画面・音声案内データ等を、端末装置１００へ送信することにより、端末装置１００の表示部１１４を介して当該案内情報や当該表示画面を出力させて案内を実行させたり、また端末装置１００の音声出力部１１８を介して当該音声案内データを出力させて音声案内を実行させたりする。出力実行部２０２ｊは、経路案内部２０２ｉで生成された、案内経路データ、および／または案内経路を含む地図の地図データ、および／または表示案内データに基づく表示画面を、端末装置１００の表示部１１４に表示させてもよい。出力実行部２０２ｊは、経路案内部２０２ｉで生成された表示画面に対応した音声案内データ（例えば、案内経路上の分岐点等における進行方向等）を、端末装置１００の音声出力部１１８を介して出力させてもよい。
【０１１４】
［案内情報提供システム（サーバ主導型）の処理］
第２の実施形態にかかる案内情報提供システム（サーバ主導型）で実行される処理の一例について、図９を参照して詳細に説明する。図９は、第２の実施形態にかかる案内情報提供システムで実行される処理の一例を示すフローチャートである。なお、第１の実施形態にかかる案内情報提供システムで実行される処理と共通する処理については、説明を省略する場合がある。
【０１１５】
まず、制御部１０２は、出発地と目的地を含む予め設定された経路探索条件を、案内情報提供サーバ２００に送信する（ステップＳＢ１）。
【０１１６】
つぎに、送受信部２０２ａは、ステップＳＢ１で送信された経路探索条件を受信する（ステップＳＢ２）。
【０１１７】
つぎに、経路探索部２０２ｂは、ステップＳＢ２で受信した経路探索条件に従って、出発地から目的地までの案内経路を探索し、案内情報作成部２０２ｃは、当該探索した案内経路に基づいて経路案内情報を作成する（ステップＳＢ３）。
【０１１８】
つぎに、経路案内部２０２ｉは、ステップＳＢ３で作成した経路案内情報に基づいて、出発地から目的地までの案内経路に関する表示画面を生成し、出力実行部２０２ｊは、経路案内部２０２ｉで生成された表示画面を端末装置１００へ送信する（ステップＳＢ４）ことにより、端末装置１００の表示部１１４を介して表示画面を出力させて経路案内処理を開始させる（ステップＳＢ５）。
【０１１９】
つぎに、開始した経路案内処理が、目的地に到着していない等に因り終了していない場合（ステップＳＢ６：Ｎｏ）には、送受信部２０２ａは、現在位置信号の要求を端末装置１００に送信する（ステップＳＢ７）。
【０１２０】
つぎに、制御部１０２は、案内情報提供サーバ２００から送信された現在位置信号の要求を受信する（ステップＳＢ８）。
【０１２１】
つぎに、制御部１０２は、位置取得部１１２で受信した位置情報信号を現在位置信号として案内情報提供サーバ２００に送信する（ステップＳＢ９）。ここで、利用者からの経路案内の終了指示を受けた場合には、制御部１０２は、さらに当該終了指示を案内情報提供サーバ２００に送信する。また、経路案内中における利用者の任意の地図スクロール操作等があった場合には、制御部１０２は、さらに、当該操作等に因る案内情報（例えば地図データなど）の要求を案内情報提供サーバ２００に送信する。
【０１２２】
つぎに、送受信部２０２ａは、端末装置１００から送信された現在位置信号等を受信する（ステップＳＢ１０）。
【０１２３】
つぎに、経路案内の終了指示を受信せず現在位置信号のみを受信した場合（ステップＳＢ１１：Ｎｏ）には、案内情報作成部２０２ｃは、経路案内処理中における現在地の単なる移動に因る当該現在地以降の経路案内用データの要求に従って、案内情報を作成し、また、経路案内の終了指示を受信せず現在位置信号と共に案内情報の要求も受信した場合（ステップＳＢ１１：Ｎｏ）には、案内情報作成部２０２ｃは、受信した要求に従って、要求された案内情報を作成する（ステップＳＢ１２）。
【０１２４】
つぎに、必要通信数量予測部２０２ｄは、ステップＳＢ３で探索した案内経路（経路案内処理を実行中の案内経路）、およびステップＳＢ１０で受信した現在位置信号に基づき現在位置情報取得部２０２ｈが取得した現在位置情報に基づいて、現在位置から目的地までの経路案内に必要な案内情報の通信に掛かる必要通信数量を予測する（ステップＳＢ１３）。
【０１２５】
つぎに、利用可能通信数量算出部２０２ｅは、予め設定した上限通信数量および予め取得した利用済通信数量（例えば、現時点までの通信で利用された、都度更新される最新の利用済通信数量）に基づいて、利用可能通信数量を算出する（ステップＳＢ１４）。
【０１２６】
つぎに、通信数量比較部２０２ｆは、ステップＳＢ１３で予測した必要通信数量およびステップＳＢ１４で算出した利用可能通信数量の大小を比較し、この比較結果が“必要通信数量が利用可能通信数量より大きい”というものである場合（ステップＳＢ１５：Ｙｅｓ）には、案内情報編集部２０２ｇは、“通信量または通信料金の上限の範囲内で目的地まで案内情報を送信することができない”という内容の予め設定した報知メッセージ（データ省略の設定を促すメッセージを含む）をステップＳＢ１２で作成した案内情報に付加する、または案内情報の簡略化可能箇所の入力画面をステップＳＢ１２で作成した案内情報に報知メッセージとして付加する、という編集を行う（ステップＳＢ１６）。
【０１２７】
つぎに、送受信部２０２ａは、ステップＳＢ１６で編集した案内情報、または通信量比較部２０２ｆでの比較結果が“必要通信量が利用可能通信量より大きい”というものでない場合（ステップＳＢ１５：Ｎｏ）にはステップＳＢ１２で作成した案内情報を、端末装置１００に送信する（ステップＳＢ１７）ことにより、端末装置１００の表示部１１４および／または音声出力部１１８を介して案内情報を出力させる（ステップＳＢ１８）。
【０１２８】
つぎに、制御部１０２は、入力部１１６を介して利用者からの案内のデータ省略または案内の簡略化可能箇所の指示を一定時間待ち、いずれかの指示を受けた場合には、当該データ省略に関する設定情報または指定された簡略化可能箇所を、表示指示として案内情報提供サーバ２００に送信し、いずれの指示も受けなかった場合には、指示なしという内容の表示指示を案内情報提供サーバ２００に送信する（ステップＳＢ１９）。
【０１２９】
つぎに、送受信部２０２ａは、ステップＳＢ１９で送信された表示指示を受信する（ステップＳＢ２０）。
【０１３０】
つぎに、受信した表示指示が、データ省略に関する設定情報または簡略化可能箇所であった場合（ステップＳＢ２１：Ｙｅｓ）には、案内情報編集部２０２ｇは、ステップＳＢ２０で受信した設定情報に基づいてステップＳＢ１２で作成した案内情報を編集する、または受信した簡略化可能箇所に基づいてステップＳＢ１２で作成した案内情報について当該簡略化可能箇所の案内を簡略化する編集を行う（ステップＳＢ２２）。
【０１３１】
つぎに、送受信部２０２ａは、ステップＳＢ２２で編集（簡略化）してデータ省略（削減）された案内情報を端末装置１００に送信する（ステップＳＢ２３）ことにより、端末装置１００の表示部１１４および／または音声出力部１１８を介して案内情報を出力させる（ステップＳＢ２４）。
【０１３２】
そして、案内情報提供サーバ２００で実行されている経路案内が終了する（ステップＳＢ６：Ｙｅｓ）まで、または経路案内の終了指示を受信する（ステップＳＢ１１：Ｙｅｓ）まで、ステップＳＢ６からステップＳＢ２４までの処理が繰り返される。
【０１３３】
以上で、第２の実施形態にかかる案内情報提供システムで実行される処理の一例の説明を終える。
【０１３４】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１３５】
実施の形態において説明した各処理のうち、自動的に行われるものとして説明した処理の全部または一部を手動的に行うこともでき、手動的に行われるものとして説明した処理の全部または一部を公知の方法で自動的に行うこともできる。
【０１３６】
上記文献中や図面中で示した処理手順、制御手順、具体的名称、各処理の登録データや検索条件等のパラメータを含む情報、画面例、データベース構成については、特記する場合を除いて任意に変更することができる。
【０１３７】
端末装置１００および案内情報提供サーバ２００に関して、図示の各構成要素は機能概念的なものであり、必ずしも物理的に図示の如く構成されていることを要しない。
【０１３８】
例えば、端末装置１００および案内情報提供サーバ２００の各装置が備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００および案内情報提供サーバ２００に機械的に読み取られる。すなわち、ＲＯＭまたはＨＤなどの記憶部１０６および記憶部２０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３９】
このコンピュータプログラムは、端末装置１００および案内情報提供サーバ２００に対して任意のネットワーク３００を介して接続されたアプリケーションプログラムサーバに記憶されていてもよく、必要に応じてその全部または一部をダウンロードすることも可能である。
【０１４０】
本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤおよびＢｌｕ−ｒａｙ（登録商標）  Ｄｉｓｃ等の任意の「可搬用の物理媒体」を含むものとする。
【０１４１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成、読み取り手順、あるいは読み取り後のインストール手順等については、周知の構成や手順を用いることができる。
【０１４２】
記憶部１０６および記憶部２０６に格納される各種のデータベース等（道路ネットワークデータベース２０６ａ、交通ネットワークデータベース２０６ｂおよびユーザ設定情報記憶部２０６ｃなど）は、ＲＡＭ、ＲＯＭ等のメモリ装置、ハードディスク等の固定ディスク装置、フレキシブルディスク、および光ディスク等のストレージ手段であり、各種処理やウェブサイト提供に用いる各種のプログラム、テーブル、データベースおよびウェブページ用ファイル等を格納する。
【０１４３】
端末装置１００および案内情報提供サーバ２００は、既知のパーソナルコンピュータ、ワークステーション等の情報処理装置として構成してもよく、また、該情報処理装置に任意の周辺装置を接続して構成してもよい。また、端末装置１００および案内情報提供サーバ２００は、該情報処理装置に本発明の方法を実現させるソフトウェア（プログラム、データ等を含む）を実装することにより実現してもよい。
【０１４４】
装置の分散・統合の具体的形態は図示するものに限られず、その全部または一部を、各種の付加等に応じて、または機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１４５】
以上詳述に説明したように、本発明によれば、通信量または通信料の制限下において、利用者にとって必要な案内情報を提供しながら経路案内を目的地まで継続することができる案内情報提供サーバ、案内情報提供システム、端末装置、案内情報提供方法およびプログラムを提供することができるので、ナビゲーションを支援する情報機器や情報処理分野などの様々な分野において極めて有用である。
【符号の説明】
【０１４６】
１００  端末装置
１０２  制御部
１０２ａ  送受信部
１０２ｂ  現在位置情報取得部
１０２ｃ  経路案内部
１０２ｄ  出力実行部
１０４  通信制御インターフェース部
１０６  記憶部
１０８  入出力制御インターフェース部
１１２  位置取得部
１１４  出力部
１１６  入力部
２００  案内情報提供サーバ
２０２  制御部
２０２ａ  送受信部
２０２ｂ  経路探索部
２０２ｃ  案内情報作成部
２０２ｄ  必要通信数量予測部
２０２ｅ  利用可能通信数量算出部
２０２ｆ  通信数量比較部
２０２ｇ  案内情報編集部
２０２ｈ  現在位置情報取得部
２０２ｉ  経路案内部
２０２ｊ  出力実行部
２０４  通信制御インターフェース部
２０６  記憶部
２０６ａ  道路ネットワークデータベース
２０６ｂ  交通ネットワークデータベース
２０６ｃ  ユーザ設定情報記憶部
３００  ネットワーク
４００  通信会社
【図１】
2015042997.tif 000003
【図２】
2015042997.tif 000004
【図３】
2015042997.tif 000005
【図４】
2015042997.tif 000006
【図５】
2015042997.tif 000007
【図６】
2015042997.tif 000008
【図７】
2015042997.tif 000009
【図８】
2015042997.tif 000010
【図９】
2015042997.tif 000011